(57)【特許請求の範囲】
【請求項１】
回転自在に支持されたターレットトレイの同一円上に配設されてディスクがそれぞれセットされる複数のディスク装着部を有し、入力部からの指定入力により選択されたディスク番号の前記ディスク装着部にセットされている前記ディスクを前記ターレットトレイの回転によって再生位置に位置決めするチェンジャを備えたディスク再生装置において、
前記ディスクに記録されている画像情報を再生して映像表示するモニタと、
前記ディスク番号を個々に指定入力するための複数個の数値キーと、前記ディスクの再生を指示する再生キーとを少なくとも備え、前記ディスク番号を指示するための前記数値キーが前記各ディスク番号ごとに予め設定した色にそれぞれ着色されている前記入力部と、
前記ターレットトレイを回転するターレットトレイ駆動部と、
前記数値キーの操作によってディスク番号が指定入力されたときに、前記ターレットトレイ駆動部を制御して指定されたディスク番号のディスク装着部の前記ディスクを再生位置に位置決めさせるとともに、前記再生キーの操作により再生動作が指示されるまでの間、指定入力されたディスク番号に設定されている色で前記モニタの画面をべた表示するよう色表示部を制御する制御部とを有していることを特徴とするチェンジャを備えたディスク再生装置。
【請求項２】
複数のディスク装着部が配設されたターレットトレイを有し、入力部からの指定入力により選択されたディスク番号のディスク装着部のディスクをターレットトレイの回転によって再生位置に位置決めするチェンジャを備えたディスク再生装置において、
前記ディスクに記録されている情報を再生して表示するモニタと、
数値キーのうちの少なくとも前記ディスク番号を個々に指定するための前記数値キーが前記各ディスク番号ごとに予め設定した色に着色されている前記入力部と、
前記数値キーの操作によってディスク番号が指定入力されたときに、そのディスク番号に設定されている色で前記モニタの画面をべた表示するよう制御する制御部とを備えていることを特徴とするチェンジャを備えたディスク再生装置。
【請求項３】
請求項２において、前記制御部は、前記入力部の再生キーの操作によって再生動作の開始を指示入力されたときに、前記モニタの画面のべた表示を消去したのち、前記モニタ画面に再生表示される前記ディスクの記録情報と共に再生動作マークを前記べた表示時の色と同一色で着色表示するよう制御する機能を有しているチェンジャを備えたディスク再生装置。
【請求項４】
請求項２または３において、制御部は、前記入力部の停止キーの操作によって前記モニタの画面への前記ディスクの記録情報の再生表示動作の中止が指示されたときに、前記モニタの画面に、前記べた表示時の色と同一色に表示した背景にメニュー情報を重畳表示するよう制御する機能を有しているチェンジャを備えたディスク再生装置。
【請求項５】
請求項２ないし４の何れかにおいて、前記入力部は、数値キーのうちの少なくとも前記ディスク番号を個々に指定入力するための前記数値キーを個々に光照射する複数の発光素子と、ディスク番号を指定入力するための操作が行われた前記数値キーに対応する前記発光素子を所定時間だけ点灯させる制御手段とを有しているチェンジャを備えたディスク再生装置。
【発明の詳細な説明】
【０００１】
【発明の属する技術分野】
本発明は、ターレットトレイの複数のディスク装着部にセットした複数枚のディスクから所要のものを選択して再生できるチェンジャを備えたディスク再生装置に関するものである。
【０００２】
【従来の技術】
近年では、新たなメディアであるＤＶＤ（ディジタル・バーサタイル・ディスク）が、従来の各種メディアに比較して画質が飛躍的に向上しているとともに多くの情報量の記録が可能なことから、注目されている。このＤＶＤは、ＣＤ（コンパクト・ディスク）と同じ直径が12ｃｍで厚さが1.2 ｍｍのディスクに長時間の映像信号と音声信号とをディジタル記録できるものである。また、近年においては、ディスクを１枚ずつ機器にセットするのではなく、所要枚数のディスクをターレットトレイのディスク装着部に予めセットして、それらのディスクのうちから所望のものを順次選択して再生できるチェンジャを上述のディスクの再生装置に付設できるようになっている。
【０００３】
上記チェンジャを備えたディスク再生装置では、ディスクを交換して再生する際に、ターレットトレイの何番目のディスク番号のディスク装着部にセットしたディスクを再生したいのかを例えばリモコン送信器などのキーの操作によって指定する必要がある。そこで、従来では、リモコン送信器の数値キーの操作によって再生すべきディスク番号が指定されたときに、モニタの画面の左下の隅部の小さなスペースをブランキングして上記指定されたディスク番号を数値表示するようにしている。
【０００４】
【発明が解決しようとする課題】
しかしながら、従来の再生すべきディスクのディスク番号の表示手段では、モニタの画面の左下の隅部に小さく数値表示する非常に見難いものである上に、指定したディスク番号のディスクを再生位置に配置するためにターレットトレイが回転した場合に表示部の表示が再生位置を通過するディスク番号に順次変更されるので、一層見難いものになっている。そのため、モニタ画面から比較的離れた場所からは表示中のディスク番号を正確に確認できない。しかも、その表示時間は２〜３秒程度と短いため、指定したディスク番号が間違っていないかを確認する前に表示が消えてしまうことがある。そのような場合には数値キーを再度操作してディスク番号の指定をやり直さなければならず、非常に面倒である。
【０００５】
また、ディスクの再生中に停止キーを操作した場合には、映像表示を一旦中止してメニューが表示されるが、ディスク番号が表示されない。このディスク番号は、メニュー表示に基づき再生トラック番号などを指定入力したときに始めて表示されるようになっているので、ディスク番号を知った上でメニューを選択するなどの操作を行うことができず、非常に不便である。
【０００６】
また、従来のディスク番号の表示手段としては、ターレットトレイのオープン時に、装置の外に出ているディスクのディスク番号と、装置の中に入っているディスクのディスク番号とを表示色で区別して表示するターレットトレイ式マルチディスク再生装置（特開平８−４５１６１号公報参照）が知られている。ところが、この表示手段は、カラー液晶表示管などの表示部を別途設けて、その表示部にターレットトレイの全てのディスク装着部について数値表示するとともに、装置の外に出ているディスク装着部と装置の中に入っているディスク装着部とを区別するために異なる表示色で表示するものであるから、この技術を応用して再生すべきディスクを選択したディスク番号の表示を行う構成とする場合には、表示部や表示制御装置を別途設ける必要があるから、高価になるとともに装置全体が大型化してしまう。
【０００７】
そこで、本発明は、上記従来の課題に鑑みてなされたもので、既存の構成を利用した簡単で安価な構成としながらも、再生を指定したディスクのディスク番号を比較的離れた場所からでも確実に視認できるように表示することのできるチェンジャを備えたディスク再生装置を提供することを目的とするものである。
【０００８】
【課題を解決するための手段】
上記目的を達成するために、請求項１に係る発明のチェンジャを備えたディスク再生装置は、回転自在に支持されたターレットトレイの同一円上に配設されてディスクがそれぞれセットされる複数のディスク装着部を有し、入力部からの指定入力により選択されたディスク番号の前記ディスク装着部にセットされている前記ディスクを前記ターレットトレイの回転によって再生位置に位置決めするチェンジャを備えたディスク再生装置において、前記ディスクに記録されている画像情報を再生して映像表示するモニタと、前記ディスク番号を個々に指定入力するための複数個の数値キーと、前記ディスクの再生を指示する再生キーとを少なくとも備え、前記ディスク番号を指示するための前記数値キーが前記各ディスク番号ごとに予め設定した色にそれぞれ着色されている前記入力部と、前記ターレットトレイを回転するターレットトレイ駆動部と、前記数値キーの操作によってディスク番号が指定入力されたときに、前記ターレットトレイ駆動部を制御して指定されたディスク番号のディスク装着部の前記ディスクを再生位置に位置決めさせるとともに、前記再生キーの操作により再生動作が指示されるまでの間、指定入力されたディスク番号に設定されている色で前記モニタの画面をべた表示するよう色表示部を制御する制御部とを有していることを特徴としている。
【０００９】
このチェンジャを備えたディスク再生装置では、入力部からディスク番号が指定入力されると、モニタの画面がディスク番号に対応して予め設定された色でべた表示され、このべた表示がディスクの再生動作が開始されるまで継続されるので、ユーザーは、モニタから比較的離れた場所からでもモニタの画面全体にべた表示された色を確実に視認できるとともに、そのモニタの表示色と手元のリモコン送信器などの入力部の数値キーに着色されている色とを見比べることにより、自身が指定したディスク番号を正確に確認することができる。また、ディスク番号の表示は、一般的なディスク再生装置が具備している既存のモニタおよびＯＳＤ用ＩＣなどの表示色制御部などを利用して行うので、液晶表示器や表示制御装置などの特別な構成を別途設ける必要がなく、制御部の制御プログラムや制御データを変更するだけで対応でき、簡単で安価な構成によって上記の表示制御を行うことができる。
【００１０】
また、請求項２に係る発明のチェンジャを備えたディスク再生装置は、複数のディスク装着部が配設されたターレットトレイを有し、入力部からの指定入力により選択されたディスク番号のディスク装着部のディスクをターレットトレイの回転によって再生位置に位置決めするチェンジャを備えたディスク再生装置において、前記ディスクに記録されている情報を再生して表示するモニタと、数値キーのうちの少なくとも前記ディスク番号を個々に指定するための前記数値キーが前記各ディスク番号ごとに予め設定した色に着色されている前記入力部と、前記数値キーの操作によってディスク番号が指定入力されたときに、そのディスク番号に設定されている色で前記モニタの画面をべた表示するよう制御する制御部とを備えていることを特徴としている。
【００１１】
このチェンジャを備えたディスク再生装置によれば、モニタの画面全体にべた表示されてモニタから比較的離れた場所からでも確実に視認できるモニタの表示色と、入力部の数値キーに着色されている色とを見比べることにより、自身が指定したディスク番号を正確に確認することができる。また、ハードウェア構成としては、一般的なディスク再生装置が具備している既存のモニタおよびＯＳＤ用ＩＣなどの表示色制御部などを利用できることから、特別な構成を別途設ける必要がなく、制御部の制御プログラムや制御データを変更するだけで対応できるので、簡単で安価な構成とすることができる。
【００１２】
また、請求項３に係る発明のチェンジャを備えたディスク再生装置は、請求項２の発明において、前記制御部が、前記入力部の再生キーの操作によって再生動作の開始を指示入力されたときに、前記モニタの画面のべた表示を消去したのち、前記モニタ画面に再生表示される前記ディスクの記録情報と共に再生動作マークを前記べた表示時の色と同一色で着色表示するよう制御する機能を有している。
【００１３】
この構成によれば、ユーザーは、再生動作中においても自身が選択したディスク番号を再生表示マークの表示色と数値キーの着色とを見比べることによって確認することができる。
【００１４】
また、請求項４に係る発明のチェンジャを備えたディスク再生装置は、請求項２または３の発明において、制御部が、前記入力部の停止キーの操作によって前記モニタの画面への前記ディスクの記録情報の再生表示動作の中止が指示されたときに、前記モニタの画面に、前記べた表示時の色と同一色に表示した背景にメニュー情報を重畳表示するよう制御する機能を有している。
【００１５】
この構成によれば、ユーザーは、停止キーを操作したときに、自身が選択したディスク番号をモニタの画面の背景色と入力部の数値キーの着色とを見比べることによって正確に確認できる。
【００１６】
また、請求項５に係る発明のチェンジャを備えたディスク再生装置は、請求項２ないし４の何れかの発明において、前記入力部が、数値キーのうちの少なくとも前記ディスク番号を個々に指定入力するための前記数値キーを個々に光照射する複数の発光素子と、ディスク番号を指定入力するための操作が行われた前記数値キーに対応する前記発光素子を所定時間だけ点灯させる制御手段とを有している。
【００１７】
この構成によれば、ディスク番号を指定するために操作された数値キーが発光表示されるので、ユーザーは自身が操作した数値キーを正確に確認できるとともに、その発光表示されている数値キーの着色とモニタの画面にべた表示されている色とを見比べることにより、ディスク番号を間違って指定していないか否かの確認を一層正確に行うことができる。
【００１８】
【発明の実施の形態】
以下、本発明の好ましい実施の形態について図面を参照しながら詳述する。
図１は、本発明の一実施の形態に係るチェンジャを備えたディスク再生装置の概略構成を示すブロック構成図である。同図において、チェンジャ１は、筐体２内にターレットトレイ３が回転軸４回りに回転自在に設けられ、そのターレットトレイ３に複数個（同図には５個の場合を例示）のディスク装着部３ａ〜３ｅが同心円上に等間隔の配置で設けられている。各ディスク装着部３ａ〜３ｅにはそれぞれＤＶＤなどのディスク８を挿入してセットできるようになっている。ターレットトレイ３は、例えば図の時計方向にターレットトレイ駆動部７によって回転される。また、各ディスク装着部３ａ〜３ｅには、ターレットトレイ３の回転方向に沿ってディスク番号が設定されており、ターレットトレイ３における各ディスク装着部３ａ〜３ｅの各々の近傍箇所には、例えば、スリットの数および間隔などによって構成されるディスク番号が形成表示されている。
【００１９】
チェンジャ１の筐体２には、例えば再生位置に位置決めされたディスク装着部３ａ〜３ｅのディスク番号を検出するためのディスク番号検出部９が設けられている。このディスク番号検出部９は、ターレットトレイ３における各ディスク装着部３ａ〜３ｅの近傍箇所に形成表示された上記ディスク番号を、例えば光学的に検出するようになっている。
【００２０】
マイクロコンピュータからなる制御部１０は、自体に内蔵のＲＡＭに予め記憶された各種データに基づきＲＯＭに記憶の制御プログラムをＣＰＵが実行することにより、ディスク再生装置全体を制御するものである。このディスク再生装置の入力部としては、この実施の形態においてリモコン送信器１１が用いられている。リモコン送信器１１は、少なくとも１０個の数値キー１２と、再生キー１３と、停止キー１４とを備えており、他のキーなどの図示を省略してある。
【００２１】
上記リモコン送信器１１の特徴は、１０個の数値キー１２のうちのチェンジャ１のディスク装着部３ａ〜３ｅの各ディスク番号に対応する特定のもの（この実施の形態では１番から５番までの５個）に、各ディスク番号に対応して予め設定された色、例えば、１番が赤色、２番が黄色、３番が青色、４番が緑色、５番が白色といったように着色されていることと、それらの数値キーの個々に対応して発光ダイオード（図示せず）が内部に近接配置されていることである。上述のディスク番号を指定するための５個の特定の数値キー１２は、ディスク番号の指定を目的として押圧操作されたときに、対応する発光ダイオードが点灯して外部から視認できる状態に発光表示される。
【００２２】
上記リモコン送信器１１からの送信信号は、リモコン受信部１７で受信されたのち、ターレットトレイ駆動部７および制御部１０にそれぞれ入力される。ターレットトレイ駆動部７は、リモコン送信器１１の所定の数値キー１２の操作によってディスク番号を指定されたときに、ターレットトレイ３を回転させて指定されたディスク番号のディスク装着部３ａ〜３ｅにセットのディスク８を再生位置に位置決めする。制御部１０は、リモコン送信器１１から再生キー１３の操作による再生指令信号を受けたときに、デコータ１８を駆動して再生位置のディスク８に記録されている画像情報を復調したのち、テレビジョン受像機のブラウン管などからなるモニタ１９に映像表示させる。また、制御部１０は、リモコン送信器１１から再生すべきディスク番号の信号が入力されたときなどに、ＯＳＤ（オン・スクリーン・ディスプレイ）用ＩＣから所要の表示色信号を重畳回路２１を介しモニター１９に対し出力させて、所要の表示を行うよう制御するが、これについての詳細は後述する。
【００２３】
制御部１０による表示制御処理の説明に先立って、リモコン送信器１１に内蔵の制御手段であるマイクロコンピュータ（図示せず）による表示制御処理について、図３のフローチャートを参照しながら説明する。上記マイクロコンピュータは、特定の５個の数値キー１２の操作によってディスク番号を指定入力する操作が行われたか否かを常時監視し（ステップＳ２１）、操作が行われたと判別したときに、入力操作された数値キー１２に対応する発光ダイオードを点灯させて、その数値キーを外部に発光表示させる（ステップＳ２２）。そののち、マイクロコンピュータは、例えば１０秒といった予め設定された一定時間が経過するのを監視して（ステップＳ２３）、その一定時間が経過するまでの間、上記数値キーの発光表示を継続させ、一定時間が経過したのを判別したときに、発光ダイオードを消灯させて上記数値キー１２の発光表示を停止する（ステップＳ２４）。
【００２４】
つぎに、制御部１０による表示制御処理について、図２のフローチャートを参照しながら説明する。制御部１０は、リモコン受信部１７から再生すべきディスク番号を指定する信号が入力された否かを常時監視し（ステップＳ１）、その指定信号入力されたと判別したときに、指定されたディスク番号のディスク８が再生位置に位置決めされたのを確認した時点でＯＳＤ用ＩＣ２０に対し指定されたディスク番号に対応する表示色信号を出力するよう指令する。
【００２５】
すなわち、リモコン送信器１１からディスク番号を指定する信号が送信されると、ターレットトレイ駆動部７はその指定信号に基づきターレットトレイ３を所定方向に回転させ、ディスク番号検出部９は指定されたディスク番号のディスク８が再生位置に達したのを検出して検出信号を出力し、ターレットトレイ駆動部７は上記検出信号が入力した時点でターレットトレイ３を停止させ、制御部１０は、上記検出信号の入力によって指定されたディスク番号のディスク８が再生位置に位置決めされたのを確認した時点で、ＯＳＤ用ＩＣ２０に対しディスク番号に対応する表示色信号を出力する指令を行う。
【００２６】
したがって、指定されたディスク番号のディスク８が再生位置に位置決め静止されたときには、モニタ１９の画面がディスク番号に対応して予め設定された色でべた表示され（ステップＳ２）、このべた表示がディスク８の再生動作が開始されるまで継続される。これにより、ユーザーは、モニタ１９から比較的離れた場所からでもモニタ１９の画面全体にべた表示された色を確実に視認できるとともに、そのモニタ１９の表示色と手元のリモコン送信器１１の数値キー１２に着色されている色とを見比べることにより、自身が指定したディスク番号とそのディスク番号のディスク８が再生位置に位置決めされたこととを正確に確認することができる。
【００２７】
しかも、この実施の形態ではディスク番号を指定するために操作された数値キー１２が発光表示されるので、ユーザーは自身が操作した数値キー１２を正確に確認できるとともに、その発光表示されている数値キー２の着色とモニタ１９の画面にべた表示されている色とを見比べることにより、ディスク番号を間違って指定していないか否かの確認を一層正確に行うことができる。
【００２８】
また、上記ディスク番号の表示は、この種のディスク再生装置が一般に具備している既存のモニタ１９およびＯＳＤ用ＩＣ２０を利用して行うので、液晶表示器や表示制御装置などの特別な構成を別途設ける必要がなく、制御部１０の制御プログラムや制御データを変更するだけで対応でき、簡単で安価な構成によって上記の表示制御を行える。
【００２９】
続いて、制御部１０は、ユーザーによってディスク番号の選択が変更されたか否かを判別し（ステップＳ３）、リモコン受信部１７から異なるディスク番号を指定する信号が送信されたときに、上述と同様の制御を行うことにより、指定されたディスク番号のディスク８が再生位置に位置決めされたのを確認した時点で、モニタ１９の画面に変更されたディスク番号に対応する色に変更してべた表示するよう制御する。これにより、ユーザーは、変更して指定したディスク番号のディスク８が再生位置に位置決めされたのを正確に確認できる。
【００３０】
そして、制御部１０は、再生キー１３の操作によってリモコン送信器１１から送信された再生指令信号が入力したときに、デコーダ１８を駆動して再生位置のディスク８に記録の画像情報を再生してモニタ１９に映像表示させるとともに、図４（ａ）に示すように、再生表示マーク２２をＯＳＤ用ＩＣから出力されている色信号、つまり選択されたディスク８のディスク番号に設定されている色で映像表示に重畳して表示するよう重畳回路２１を制御する。これにより、ユーザーは、再生動作中においても自身が選択したディスク番号を再生表示マーク２２の表示色と数値キー１２の着色とを見比べることによって確認できる。
【００３１】
ディスク８の再生動作中は、制御部１０が停止キー１４が操作されたか否かを常に監視し（ステップＳ６）、再生動作が終了したと判別（ステップＳ１２）するまでの間に停止キー１４が操作されたのを判別した場合には、デコーダ１８に対し映像表示を中止するよう指令するとともに、図４（ｂ）に示すように、重畳回路２１を制御してＯＳＤ用ＩＣ２０から出力されている色信号を背景色として表示させるとともに、その背景色にメニュー情報を重畳表示させる（ステップＳ７）。したがって、ユーザーは、停止キー１４を操作したときに自身が選択したディスク番号をモニタ１９の画面の背景色と手元のリモコン送信器１１の数値キー１２の着色とを見比べることによって正確に確認できる。
【００３２】
続いて、制御部１０は、モニタ１９のメニュー表示に基づいてユーザーがリモコン送信器１１を操作したか否かの判別を行い（ステップＳ８）、何らかの指示入力があった場合にはそれに対応する制御処理を行い（ステップＳ１０）、一方、一定時間が経過するまでの間に指示入力が無かったと判別（ステップＳ９）したときに、デコーダ１８に対し映像表示を再開するよう指令し、この映像表示を再生動作が終了したと判別（ステップＳ１２）するまで継続させる。
【００３３】
なお、上記実施の形態では、画像情報を記録したディスク８を対象として説明しているが、本発明は、音響情報を記録したコンパクトディスクの再生装置などにも同様に適用して、上述したと同様の効果を得ることができる。
【００３４】
【発明の効果】
以上のように、本発明のチェンジャを備えたディスク再生装置によれば、入力部からディスク番号が指定入力されたときに、モニタの画面がディスク番号に対応して予め設定された色でべた表示される構成としたので、モニタの画面全体にべた表示されてモニタから比較的離れた場所からでも確実に視認できるモニタの表示色と、入力部の数値キーに着色されている色とを見比べることにより、指定したディスク番号を正確に確認することができる。また、ハードウェア構成としては、一般的なディスク再生装置が具備している既存のモニタおよびＯＳＤ用ＩＣなどの表示色制御部などを利用できることから、特別な構成を別途設ける必要がなく、制御部の制御プログラムや制御データを変更するだけで対応できるので、簡単で安価な構成とすることができる。
【図面の簡単な説明】
【図１】本発明の一実施の形態に係るチェンジャを備えたディスク再生装置の概略構成を示すブロック構成図である。
【図２】同上のディスク再生装置における制御部による表示制御処理を示すフローチャートである。
【図３】同上のディスク再生装置におけるリモコン送信器の表示制御処理を示すフローチャートである。
【図４】（ａ），（ｂ）はモニタの画面表示を示す説明図である。
【符号の説明】
１  チェンジャ
３  ターレットトレイ
３ａ〜３ｅ  ディスク装着部
７  ターレットトレイ駆動部
８  ディスク
１０  制御部
１１  リモコン送信器（入力部）
１２  数値キー
１３  再生キー
１４  停止キー
１９  モニタ
２０  ＯＳＤ用ＩＣ（色表示部）
２２再生動作マーク
【図１】
0003678307.tif 000002
【図２】
0003678307.tif 000003
【図３】
0003678307.tif 000004
【図４】
0003678307.tif 000005